(57)【特許請求の範囲】
【請求項１】
呼出信号に応答して通信相手と接続する前に、上記通信相手の識別信号を受信することができるファクシミリ装置において、
通信相手の識別情報に対応させて該通信相手をファクシミリ端末、もしくは、音声通信端末として登録する登録手段と；
上記受信した識別情報と、上記登録手段による登録とに基づいて、上記通信相手がファクシミリ端末として登録されているか、音声通信端末として登録されているかを判別する端末判別手段と；
上記端末判別手段による判別を、呼出音を鳴動させずに実行させ、かつ、上記通信相手がファクシミリ端末として登録されていると上記端末判別手段が判別した場合は、呼出音を鳴動させずに、上記呼出信号に応答してファクシミリ通信を開始させ、一方、上記通信相手が音声通信端末として登録されていると上記端末判別手段が判別した場合は、呼出音を鳴動させるように制御する制御手段と；
を有することを特徴とするファクシミリ装置。
【請求項２】
請求項１において、
上記ファクシミリ装置は、外部に電話機を接続可能であり、
上記制御手段による上記呼出音を鳴動させる制御は、回線からの呼出信号を上記電話機に出力させる制御であることを特徴とするファクシミリ装置。
【請求項３】
請求項１において、
上記通信相手がファクシミリ端末であるか、音声通信端末であるかを、上記端末判別手段が判別できない場合は、呼出音を鳴動させずに、上記呼出信号に応答し、この応答後に受信される信号に基づいて、上記通信相手がファクシミリ通信を要求しているか否かを判断することを特徴とするファクシミリ装置。
【請求項４】
請求項３において、
上記応答後の判断において、上記通信相手がファクシミリ通信を要求していると判断された場合は、呼出音を鳴動させずに、ファクシミリ通信を開始させ、一方、上記通信相手からのファクシミリ通信の要求が確認されない場合は、呼出音を鳴動させるように制御することを特徴とするファクシミリ装置。
【請求項５】
呼出信号に応答して通信相手と接続する前に、上記通信相手の識別信号を受信することができるファクシミリ装置の制御方法において、
通信相手の識別情報に対応させて該通信相手をファクシミリ端末、もしくは、音声通信端末として登録する登録工程と；
上記受信した識別情報と、上記登録工程で行われた登録とに基づいて、上記通信相手がファクシミリ端末として登録されているか、音声通信端末として登録されているかを判別する端末判別工程と；
上記端末判別工程における判別を、呼出音を鳴動させずに実行させ、かつ、上記通信相手がファクシミリ端末として登録されていると上記端末判別工程において判別された場合は、呼出音を鳴動させずに、上記呼出信号に応答してファクシミリ通信を開始させ、一方、上記通信相手が音声通信端末として登録されていると上記端末判別工程において判別された場合は、呼出音を鳴動させるように制御する制御工程と；
を有することを特徴とするファクシミリ装置の制御方法。
【発明の詳細な説明】
【０００１】
【産業上の利用分野】
本発明は、呼出信号に応答して通信相手と接続する前に上記通信相手の識別信号を受信可能なファクシミリ装置およびその制御方法に関する。
【０００２】
【従来の技術】
従来より、複数の着信モードを有するファクシミリ装置として、留守ＴＥＬダイレクト接続モード、ＦＡＸ／ＴＥＬ自動切替えモード、自動着信モード、手動着信モードを有するファクシミリ装置が提案されている。
【０００３】
このようなファクシミリ装置では、自動着信モードの場合には、呼出信号を検出すると、常にファクシミリ受信へ移行し、手動着信モードの場合には、電話機がオフフックされるまで、電話機のベルを鳴動させている。また、留守ＴＥＬダイレクト接続モードの場合には、留守番電話機の直流ループの閉結を検出後、所定時間、ＣＮＧ信号、あるいは無音の検出を行ない、どちらか一方を検出するとファクシミリ受信へ移行した。
【０００４】
また、ＦＡＸ／ＴＥＬ自動切替えモードの場合には、着信後、所定時間だけ、ＣＮＧ信号または無音の検出を行ない、どちらか一方を検出すると、ファクシミリ受信へ移行し、ともに検出しないと、オペレータ呼出しを行なっていた。
【０００５】
【発明が解決しようとする課題】
しかしながら、上記従来例においては、着信モードが留守ＴＥＬダイレクト接続モードの場合、留守番電話から音声メッセージが送出されると、相手側から送出されるＣＮＧ信号を検出できず、相手側は通信を希望しているが通信ができないという欠点があった。また、相手側の音声をＣＮＧと誤認し、通話ができないという欠点もあった。
【０００６】
また、着信モードがＦＡＸ／ＴＥＬ自動切替えモードの場合、相手側が手動送信であるときには、オペレータが送信スタートをすぐに開始しないと、無音を検出できず、通信ができないという欠点があった。
【０００７】
また、着信モードが自動着信モードの場合、常に自動着信をするのみで、相手側が通話を望んでいても通話ができないという欠点があった。
【０００８】
また、着信モードが手動着信モードの場合、常に電話機からベル音を鳴動するのみで、相手側が通信を望んでいても受信側に人がいないと、通信ができないという欠点があった。
【０００９】
そこで、本発明は、相手に応じて最適な着信ができるようにすると共に、呼出音の鳴動を柔軟に行うことができるようにすることを目的とする。
【００１０】
【課題を解決するための手段】
本発明は上記目的を達成するために、呼出信号に応答して通信相手と接続する前に、上記通信相手の識別信号を受信することができるファクシミリ装置において、通信相手の識別情報に対応させて該通信相手をファクシミリ端末、もしくは、音声通信端末として登録する登録手段と、上記受信した識別情報と、上記登録手段による登録とに基づいて、上記通信相手がファクシミリ端末として登録されているか、音声通信端末として登録されているかを判別する端末判別手段と、上記端末判別手段による判別を、呼出音を鳴動させずに実行させ、かつ、上記通信相手がファクシミリ端末として登録されていると上記端末判別手段が判別した場合は、呼出音を鳴動させずに、上記呼出信号に応答してファクシミリ通信を開始させ、一方、上記通信相手が音声通信端末として登録されていると上記端末判別手段が判別した場合は、呼出音を鳴動させるように制御する制御手段とを有することを特徴とする。
【００１１】
これによって、相手に応じて最適な着信ができると共に、呼出音の鳴動を柔軟に行うことができる。
【００１２】
また、本発明は、ファクシミリ装置の外部に電話機を接続できるようにし、呼出音を鳴動させる制御は、回線からの呼出信号が電話機に出力されるように制御する。
【００１３】
これによって、通信相手を判別した後でも、回線からの呼出信号を利用して外部の電話機によって呼出音を鳴動することができる。
【００１４】
また、本発明は、通信相手がファクシミリ端末であるか、音声通信端末であるかを判別できない場合は、呼出音を鳴動させずに、上記呼出信号に応答し、この応答後に受信される信号に基づいて、通信相手がファクシミリ通信を要求しているか否かを判断するようにした。
【００１５】
これによって、例え、応答前に受信した識別情報によって通信相手の着信を最適に判別できなくても、通信相手からのファクシミリ通信の要求を、無鳴動の状態を維持しつつ判別することができる。
【００１６】
また、本発明は、呼出信号の応答後の判断によって、通信相手がファクシミリ通信を要求していると判断された場合は、呼出音を鳴動させずに、ファクシミリ通信を開始させ、通信相手からのファクシミリ通信の要求が確認されない場合は、呼出音を鳴動させる。
【００１７】
これによって、通信相手がファクシミリ通信を要求しているときは、最後まで呼出音を鳴動させずに、ファクシミリ通信を開始することができる。また、最終的にファクシミリ通信の要求が確認できなかったときは、後の処理をユーザに委ねることができる。
【００１９】
【実施例】
図１は、本発明の各実施例の構成要素を含むファクシミリ装置を示すブロック図である。
【００２０】
まず、このファクシミリ装置の接続端子には電話機０と留守番電話機１が接続されている。すなわち、電話機０は、信号線０ａ、０ｂを介して、ファクシミリ装置の接続端子に接続され、留守番電話機１は、信号線１ａ、１ｂを介して、ファクシミリ装置の接続端子に接続される。
【００２１】
次に、以下に説明する２〜４８の各ブロックは、それぞれファクシミリ装置の要素である。
【００２２】
まず、ＣＭＬリレー２は、信号線４８ａに信号レベル「０」の信号が出力されている時にオフしており、この状態で、電話回線は、端子を介して信号線２ａ、２ｂに接続され、さらにこの信号線２ａ、２ｂは、信号線４ａ、４ｂに接続される。また、ＣＭＬリレー２は、信号線４８ａに信号レベル「１」の信号が出力されている時にオンし、この状態で、信号線２ａ、２ｂは、信号線１４ａ、１４ｂに接続される。
【００２３】
外部端末直流捕捉検出回路４は、信号線４ａが信号線８ａに接続されるとともに、信号線４ｂが信号線８ｂに接続されて、これ以降に接続されている外部端末が直流ループを捕捉しているか否かを検出するものであり、直流ループを捕捉していないと、信号線４ｃに信号レベル「０」の信号を出力し、直流ループを捕捉していると、信号線４ｃに信号レベル「１」の信号を出力する。
【００２４】
擬似終端回路６は、直流ループを捕捉していない状態で、信号線８ａ、８ｂを電話機０あるいは留守番電話機１に接続していないで、無鳴動着信を行なう場合、インピーダンスが高くなりすぎて、交換機が、端末が接続されていないと判断してしまわないように、信号線８ａ、８ｂを信号線６ａ、６ｂを介して接続するものである。
【００２５】
呼出信号検出回路８は、信号線８ａ、８ｂに出力されている信号を入力し、呼出信号を検出すると、信号線８ｃに信号レベル「１」の信号を出力し、呼出信号を検出していないと、信号線８ｃに信号レベル「０」の信号を出力する。
【００２６】
電話番号検出回路１０は、発呼側から呼出信号の間に送出される電話番号情報を検出する回路であり、信号線８ａ、８ｂに出力されている信号を入力し、検出した電話番号を信号線１０ａに出力する。
【００２７】
切替回路１２は、信号線４８ｃに信号「０」が出力されている時に、信号線８ａ、８ｂを信号線６ａ、６ｂに接続し、同様に、信号線４８ｃに信号「１」または「２」が出力されている時、信号線８ａ、８ｂを信号線１２ａ、１２ｂまたは信号線１２ｃ、１２ｄに接続する。
【００２８】
ハイブリッド回路１４は、送信系の信号と受信系の信号とを分離するものである。すなわち、信号線２４ａの送信信号は、信号線１４ａ、１４ｂを通り、ＣＭＬリレー２を介して、電話回線に送出される。また、相手側から送られてきた信号は、ＣＭＬリレー２を介した後、信号線１４ａ、１４ｂを通り、信号線１４ｃに出力される。
【００２９】
変調器１６は、公知のＩＴＵ−Ｔ勧告Ｖ２１に基づいた変調を行なうものである。この変調器１６は、信号線４８ｂの手順信号を入力して変調を行ない、変調データを信号線１６ａに出力する。
【００３０】
読取回路１８は、ＣＣＤ（電荷結合素子）等の撮像素子と光学系で構成され、送信原稿より主走査方向１ライン分の画信号を順次読み取り、白、黒の２値を表す信号列を作成する。そして、この白、黒の２値化された信号列は、信号線１８ａに出力される。
【００３１】
符号化回路２０は、信号線１８ａに出力されている読取データを入力し、符号化（ＭＨ符号化あるいはＭＲ符号化）したデータを信号線２０ａに出力する。
【００３２】
変調器２２は、公知のＩＴＵ−Ｔ勧告Ｖ２７ｔｅｒ（差動位相変調）あるいはＶ２９（直交変調）に基づいた変調を行なう変調器である。この変調器２２は、信号線２０ａの信号を入力して変調を行ない、この変調データを信号線２２ａに出力する。
【００３３】
加算回路２４は、信号線１６ａと信号線２２ａの信号を入力して加算し、この加算結果を信号線２４ａに出力する。
【００３４】
復調器２６は、公知のＩＴＵ−Ｔ勧告Ｖ２１に基づいた復調を行なう復調器である。この復調器２６は、信号線１４ｃの信号を入力してＶ２１復調を行ない、復調データを信号線２６ａに出力する。
【００３５】
復調器２８は、公知のＩＴＵ−Ｔ勧告Ｖ２７ｔｅｒ（差動位相変調）あるいはＶ２９（直交変調）に基づいた復調を行なう復調器である。この復調器２８は、信号線１４ｃの信号を入力して復調を行ない、この復調データを信号線２８ａに出力する。
【００３６】
復号化回路３０は、信号線２８ａに出力されている信号を入力し、復号化（ＭＨ復号化あるいはＭＲ復号化）したデータを信号線３０ａに出力する。
【００３７】
記録回路３２は、信号線３０ａに出力されているデータを入力し、順次、１ラインずつ記録を行なうものである。
【００３８】
無音検出回路３４は、信号線８ａ、８ｂに出力されている信号を入力し、無音状態を検出している場合には、信号線３４ａに信号レベル「１」の信号を出力し、無音状態を検出していない場合には、信号線３４ａに信号レベル「０」の信号を出力する。
【００３９】
ＣＮＧ信号検出回路３６は、信号線８ａ、８ｂに出力されている信号を入力してＣＮＧ信号を検出するものであり、ＣＮＧ信号を検出している場合には、信号線３６ａに信号レベル「１」の信号を出力し、ＣＮＧ信号を検出していない場合には、信号線３６ａに信号レベル「０」の信号を出力する。
【００４０】
Ｖ２１フラグ信号検出回路３７は、信号線８ａ、８ｂに出力されている信号を入力してＶ２１のフラグ信号を検出する回路であり、Ｖ２１のフラグ信号を検出している場合には、信号線３７ａに信号レベル「１」の信号を出力し、Ｖ２１のフラグ信号を検出していない場合には、信号線３７ａに信号レベル「０」の信号を出力する。
【００４１】
また、無音検出回路５０、ＣＮＧ信号検出回路５２、Ｖ２１フラグ信号検出回路５４も、それぞれ上記検出回路３４、３６、３７と同一であり、信号線８ａ、８ｂを入力する（直流ループをファクシミリ装置にて捕捉していない状態の信号検出である）代わりに、信号線１４ｃを入力して（直流ループをファクシミリ装置にて捕捉している状態の信号検出）、各検出を行うものであり、それぞれの検出出力は、信号線５０ａ、５２ａ、５４ａに出力し、検出状態では信号レベル「１」の信号を出力し、非検出状態では信号レベル「０」の信号を出力する。
【００４２】
着信モード選択ボタン３８は、自動着信モード、手動着信モード、留守ＴＥＬダイレクト接続モード、ＦＡＸ／ＴＥＬ自動切替えモードを選択するボタンであり、このボタン３８が押下されると、信号線３８ａに押下パルスを発生する。
【００４３】
着信モード表示回路４０は、着信モードを表示する回路であり、信号線４８ｄにクリアパルスが発生すると、「自動着信モード」と表示し、以後、信号線３８ａに押下パルスが発生する毎に、「自動着信モード」→「手動着信モード」→「留守ＴＥＬダイレクト接続モード」→「ＦＡＸ／ＴＥＬ自動切替えモード」→「自動着信モード」と順に表示する。ここで、着信モード表示回路４０が、「自動着信モード」と表示している時には、信号線４０ａに信号「０」を出力し、同様に、「手動着信モード」、「留守ＴＥＬダイレクト接続モード」、または「ＦＡＸ／ＴＥＬ自動切替えモード」と表示している時には、信号線４０ａに、信号「１」、「２」、または「３」を出力する。
【００４４】
登録回路４２は、通信端末である相手先の電話番号情報を信号線４２ａを介して登録する回路である。
【００４５】
登録回路４４は、通話端末である相手先の電話番号情報を信号線４４ａを介して登録する回路である。
【００４６】
オペレーション部４６は、登録回路４２に電話番号を登録するためのボタン、登録回路４４に電話番号を登録するためのボタン、ワンタッチダイヤルボタン、短縮ダイヤルボタン、スタートボタン、テンキー、その他のファンクション用のボタンを有するものであり、これら押下されたボタンの情報は、信号線４６ａに出力される。
【００４７】
制御回路４８は、本ファクシミリ装置の全体の制御を司るものである。特に本発明の第１実施例において、発呼側端末が通話端末か通信端末かの種別を記憶しておき、着信側のモードが留守ＴＥＬダイレクト接続モードの場合には、呼出信号を検出すると、留守ＴＥＬダイレクト接続端子に呼出信号を出力しながら、呼出信号の間に送出される電話番号情報をチェックし、発呼側が通信端末であればファクシミリ受信に移行し、通話端末であればファクシミリ受信へは移行せず、通信端末か通話端末か不明であれば、留守番電話機１の直流閉結後、所定時間、ＣＮＧ信号、Ｖ２１のフラグ信号、無音のチェックを行い、これらの１つを検出するとファクシミリ受信に移行し、これらを１つも検出しないとファクシミリ受信へは移行せず、確実に、通話端末または通信端末と判断できた場合には、その電話番号情報に対応して端末の種別を記憶するという一連の処理を制御するものである。
【００４８】
図２〜図４は、本発明の第１実施例における制御回路４８の動作を示すフローチャートである。
【００４９】
まず、Ｓ５２では、信号線４８ｄにクリアパルスを発生し、着信モード表示回路４０を「自動着信」と表示する。Ｓ５４では、信号線４８ａに信号レベル「０」の信号を出力し、ＣＭＬをオフにする。
【００５０】
Ｓ５６では、信号線４８ｃに、信号「０」を出力し、信号線８ａ、８ｂを擬似終端回路６（信号線６ａ、６ｂ）に接続する。
【００５１】
Ｓ５８では、信号線４６ａの情報を入力し、発呼側が通信端末である電話番号の登録が選択されたか否かを判断し、登録が選択されるとＳ６０に進み、登録回路４２に電話番号の登録を行う。なお、この登録作業は、上述した登録回路４２に電話番号を登録するためのボタンの押下により、発呼側が通信端末である電話番号の登録モードに移行し、次いで登録したい電話番号をテンキーで入力することにより行う。一方、制御回路４６は、入力された電話番号が、発呼側が通信端末である電話番号として登録回路４２に記憶する。
【００５２】
また、この登録が選択されていないとＳ６２に進み、信号線４６ａの情報を入力し、発呼側が通話端末である電話番号の登録が選択されたか否かを判断し、登録が選択されるとＳ６４に進み、登録回路４４に電話番号の登録を行う。なお、この登録作業は、上述した登録回路４４に電話番号を登録するためのボタンの押下により、発呼側が通話端末である電話番号の登録モードに移行し、次いで登録したい電話番号をテンキーで入力することにより行う。一方、制御回路４６は、入力された電話番号が、発呼側が通話端末である電話番号として登録回路４４に記憶する。
【００５３】
また、この登録が選択されていないとＳ６６に進み、信号線８ｃの情報を入力し、呼出信号を検出しているか否かを判断し、呼出信号を検出していないとＳ６８に進み、その他の処理を行う。
【００５４】
また、呼出信号を検出するとＳ７０に進み、信号線４０ａの情報を入力し、留守ＴＥＬダイレクト接続モードであるとＳ７２に進み、留守ＴＥＬダイレクト接続モードでないと、上記Ｓ６８に進む。
【００５５】
Ｓ７２では、信号線１０ａの情報を入力し、呼出信号の間の電話番号を検出したか否かを判断し、呼出信号の間の電話番号を検出するとＳ７６に進み、呼出信号の間の電話番号を検出していないとＳ７４に進む。
【００５６】
Ｓ７４では、信号線４８ｃに信号「２」を出力し、信号線８ａ、８ｂを信号線１２ｃ、１２ｄ、すなわち、留守番電話機１に接続する設定とする。これにより、留守番電話機１に呼出信号が印加される。
【００５７】
Ｓ７６では、呼出信号の間の電話番号が登録回路４２に登録されているか、すなわち、通信端末であるか否かを判断し、通信端末であるとＳ７８に進み、信号線４８ａに信号レベル「１」の信号を出力してＣＭＬをオンし、呼出信号を留守番電話機１または電話機０に印加しないで、ファクシミリ受信に移行する（Ｓ８０）。
【００５８】
また、通信端末でないと、Ｓ８１に進み、信号線４８ｃに信号「２」を出力し、信号線８ａ、８ｂを信号線１２ｃ、１２ｄ、すなわち、留守番電話機１に接続する設定とする。これにより、留守番電話機１に呼出信号が印加される。
【００５９】
次に、Ｓ８２では、呼出信号間の電話番号が登録回路４４に登録されているか、すなわち、通話端末であるか否かを判断し、通話端末であるとＳ８４に進み、通話端末でないとＳ９４に進む。
【００６０】
Ｓ８４では、発呼側は通話端末であるので、ファクシミリ受信へ移行しない、すなわち、所定時間、ＣＮＧ信号、Ｖ２１のフラグ、無音の検出をしないで、留守ＴＥＬモードでいくことが重要で効果がある。
【００６１】
Ｓ８６では、信号線８ｃの情報を入力し、呼出信号を検出しているか否かを判断し、呼出信号があるとＳ８８に進み、呼出信号がないと上記Ｓ５４に進んで初期状態に戻る。
【００６２】
Ｓ８８では、信号線４ｃの情報を入力し、外部留守番電話機１が直流ループを捕捉した、すなわち、応答したか否かを判断し、外部留守番電話機１が応答していないとＳ８６に進む。
【００６３】
また、外部留守番電話機１が応答するとＳ９０に進み、外部留守番電話機１による留守録を行う。次に、Ｓ９２では、信号線４ｃの情報を入力し、外部留守番電話機１が直流ループを開放した、すなわち、留守録を終了したか否かを判断し、留守録を終了していると、上記Ｓ５４に進んで初期状態に戻り、留守録を終了していないと、Ｓ９０に進む。
【００６４】
一方、Ｓ９４では、信号線８ｃの情報を入力し、呼出信号を検出しているか否かを判断し、呼出信号があるとＳ９６に進み、呼出信号がないと上記Ｓ５４に進んで初期状態に戻る。
【００６５】
Ｓ９６では、信号線４ｃの情報を入力し、外部留守番電話機１が直流ループを捕捉した、すなわち、応答したか否かを判断し、外部留守番電話機１が応答していないと、Ｓ９４に進む。また、外部留守番電話機１が応答すると、Ｓ９８に進み、所定時間、ＣＮＧ信号、Ｖ２１のフラグ信号、無音の検出を行なうが、この所定時間としてタイマーＴ１に２０秒をセットする。
【００６６】
そして、Ｓ１００は、外部留守番電話機１による留守録を行い、Ｓ１０２では、タイマーＴ１がタイムオーバーしたか否かを判断し、タイマーＴ１がタイムオーバーしているとＳ１０４に進み、タイマーＴ１がタイムオーバーしていないとＳ１０６に進む。
【００６７】
Ｓ１０４では、信号線４ｃの情報を入力し、外部留守番電話機１が直流ループを開放した、すなわち、留守録を終了したか否かを判断し、留守録が終了しているとＳ１１８に進み、留守録が終了していないとＳ１００に進む。
【００６８】
Ｓ１０６では、信号線３４ａ、３６ａ、３７ａの情報を入力し、ＣＮＧ信号、あるいは、Ｖ２１信号のフラグ信号、あるいは、無音を検出したか否かを判断し、どれか１つを検出するとＳ１０８に進んでファクシミリ受信へ移行し、どれも検出しないと、Ｓ１０４に進む。
【００６９】
Ｓ１０８では、信号線４８ａに信号レベル「１」の信号を出力してＣＭＬをオンし、Ｓ１１０では、ファクシミリ受信を行う。
【００７０】
次に、Ｓ１１２では、信号線４８ａに信号レベル「０」の信号を出力してＣＭＬをオフし、Ｓ１１４では、ファクシミリ受信が成功したか否かを判断し、成功していると、相手側は確実に通信端末と判断できるので、Ｓ１１６に進み、呼出信号の間の電話番号を検出している場合、この電話番号を登録回路４２に登録する。また、ファクシミリ受信に成功していない時には、上記Ｓ５４に進んで初期状態に戻る。
【００７１】
Ｓ１１８では、留守録が実際に行なわれたか、例えば、所定時間以上、留守録状態であったかどうかを判断し、留守録が実際に行なわれた場合には、相手側は確実に通話端末と判断できるので、Ｓ１２０に進み、呼出信号間の電話番号を検出している場合、この電話番号を登録回路４４に登録し、留守録が行なわれていない時には、上記Ｓ５４に進んで初期状態に戻る。
【００７２】
次に、本発明の第２実施例として、ＦＡＸ／ＴＥＬ自動切替えモードの場合について説明する。
【００７３】
この場合、まず、無鳴動着信を行い、呼出信号の間に送出される電話番号情報をチェックし、発呼側が通信端末であれば、そのまま無鳴動でファクシミリ受信へ移行し、発呼側が通話端末であれば、電話機の端子に呼出信号を出力する。また、発呼側が通信端末か通話端末か不明である場合には、一度ファクシミリ通信部に切り替え、回線を捕捉後、所定時間、ＣＮＧ信号、Ｖ２１のフラグ信号、無音をチェックし、これらの１つを検出すると、ファクシミリ受信に移行し、これらを１つも検出しないと、ファクシミリ受信へは移行しないで、オペレータ呼出しを行う。そして、相手側が通信端末あるいは通話端末であるかを確実に判断できた場合には、この呼出信号間に送出される電話番号情報に対応して通話端末か通信端末かの種別を回路４２または４４に記憶する。
【００７４】
図５、図６は、このような第２実施例の制御のうち、上記第１実施例（図２〜図４）に対して変更、追加する部分を示すフローチャートである。
【００７５】
図５において、Ｓ１３０は、上記Ｓ７０のＮＯを表している。そして、Ｓ１３２では、信号線４０ａの情報を入力し、ＦＡＸ／ＴＥＬ自動切替えモードであるか否かを判断し、ＦＡＸ／ＴＥＬ自動切替えモードでないとＳ１３４（上記Ｓ６８）に進む。また、ＦＡＸ／ＴＥＬ自動切替えモードであるとＳ１３６（上記Ｓ７２）に進み、呼出信号の間の電話番号を検出するとＳ１３８に進み、呼出信号間の電話番号を検出していないとＳ１５４に進む。
【００７６】
Ｓ１３８は、上記Ｓ７６を表しており、呼出信号の間の電話番号が通信端末であるとＳ１３９（上記Ｓ７８）に進み、呼出信号の間の電話番号が通信端末でないとＳ１４０に進む。
【００７７】
Ｓ１４０は、上記Ｓ８２を表しており、呼出信号の間の電話番号が通話端末であるとＳ１４２に進み、呼出信号間の電話番号が通話端末でないとＳ１５４に進む。
【００７８】
Ｓ１４２では、信号線４８ｃに信号「１」を出力し、信号線８ａ、８ｂを電話機０に接続し、電話機０から呼出信号による鳴動を行なう。そして、Ｓ１４４では、上記Ｓ８６の処理により、呼出信号があるか否かを判断し、呼出信号がきているとＳ１４６に進み、呼出信号がきていないとＳ１５２に進む。
【００７９】
Ｓ１４６では、信号線４ｃの情報を入力し、電話機０がオフフックされたか否かを判断し、オフフックされないとＳ１４４に戻って呼出信号の検知を続ける。また、オフフックされるとＳ１４８に進み、通話に移行する。この後、Ｓ１５０では、信号線４ｃの情報を入力し、電話機０がオンフックされれたか否かを判断し、オンフックされないとＳ１４８に戻って通話を続ける。また、オンフックされるとＳ１５２（上記Ｓ５４）に進み、初期状態に戻る。
【００８０】
また、Ｓ１５４では、信号線４８ａに信号レベル「１」の信号を出力してＣＭＬをオンし、Ｓ１５６では、ＣＮＧ信号、Ｖ２１のフラグ信号、または、無音を検出するためのタイマーＴ１に５秒をセットする。
【００８１】
そして、Ｓ１５８では、信号線５０ａ、５２ａ、５４ａの情報を入力して、無音、ＣＮＧ信号、またはＶ２１のフラグ信号を検出したか否かを判断し、どれか１つでも検出するとＳ１６０（上記Ｓ１０８）に進み、ファクシミリ受信へ移行する。
【００８２】
また、１つも検出しないとＳ１６２に進み、Ｓ１６２では、タイマーＴ１がタイムオーバーしたか否かを判断し、タイムオーバーしていないとＳ１５８に進んで検出を続ける。また、タイムオーバーしているとＳ１６４に進み、図示しない回路により、オペレータ呼び出し音を発生し、オペレータ呼び出しを行なう。
【００８３】
Ｓ１６６では、オペレータ呼び出しを行なうためのタイマーＴ２に１５秒をセットする。そして、Ｓ１６８では、オペレータが応答したか、すなわち、電話機０がオフフックされたか否かを判断し、オペレータが応答するとＳ１７５に進み、オペレータが応答していないとＳ１７０に進む。
【００８４】
Ｓ１７０では、タイマーＴ２がタイムオーバーしたか否かを判断し、タイムオーバーしていないとＳ１６８に戻ってオペレータ応答を待つ。また、タイムオーバーしているとＳ１７２に進み、Ｓ１６４にて行なったオペレータ呼び出しをやめ、Ｓ１７４（上記Ｓ５４）に進んで初期状態に戻る。
【００８５】
また、Ｓ１７５では、Ｓ１６４にて行なったオペレータ呼び出しをやめ、Ｓ１７６で通話に移行する。そして、Ｓ１７８では、オペレータが受話器（電話機０）をオンフックしたか否かを判断し、電話機０をオンフックするとＳ１８０（上記Ｓ１２０）に進んで、呼出信号の間の電話番号を登録回路４４に記憶する。また、オンフックしていないとＳ１７６において通話を続ける。
【００８６】
次に、本発明の第３実施例として自動着信モードの場合について説明する。
【００８７】
この場合、まず、無鳴動着信を行い、呼出信号の間に送出される電話番号情報をチェックし、発呼側が通話端末であれば、電話機の端子に呼出信号を出力し、それ以外は自動着信を行い、ファクシミリ受信を行なう制御を行い、実際にファクシミリ受信が行なわれた場合は、この呼出信号の間に送出される電話番号情報に対応して通信端末であることを記憶する。これにより、それ以降の当該相手先からのファクシミリ通信をより確実なものとする。
【００８８】
図７は、このような第３実施例の制御のうち、上記各実施例（図２〜図６）に対して変更、追加する部分を示すフローチャートである。
【００８９】
まず、Ｓ１９０は上記Ｓ１３２のＮＯを表している。そして、Ｓ１９２では、信号線４０ａの情報を入力し、自動着信モードが選択されているか否かを判断し、自動着信モードが選択されていると、Ｓ１９６に進み、自動着信モードが選択されていないとＳ１９４（上記Ｓ６８）に進む。
【００９０】
Ｓ１９６は、上記Ｓ７２の処理を表しており、呼出信号の間の電話番号を検出するとＳ１９８に進み、呼出信号の間の電話番号を検出していないとＳ２０２に進む。
【００９１】
Ｓ１９８は、上記Ｓ８２の処理を表しており、呼出信号間の電話番号が通話端末まであると、Ｓ２００（上記Ｓ１４２）に進み、呼出信号間の電話番号が通話端末でないと、Ｓ２０２（上記Ｓ１０８）に進む。
【００９２】
次に、本発明の第４実施例として手動着信モードの場合について説明する。
【００９３】
この場合、まず、電話機の端末に呼出信号を出力しながら呼出信号の間に送出される電話番号情報をチェックし、発呼側が通信端末であればファクシミリ受信へ移行する。
【００９４】
図８は、このような第４実施例の制御のうち、上記各実施例（図２〜図７）に対して変更、追加する部分を示すフローチャートである。
【００９５】
まず、Ｓ２１０は、上記１９２のＮＯを表している。次に、Ｓ２１２では、信号線４０ａの情報を入力し、手動着信モードであるか否かを判断し、手動着信モードでないとＳ２１４（上記Ｓ６８）に進む。また、手動着信モードであるとＳ２１６に進み、信号線４８ｃに信号「１」を出力し、信号線８ａ、８ｂを電話機０に接続する。
【００９６】
次に、Ｓ２１８は、上記Ｓ７２を表しており、呼出信号の間の電話番号を検出していないとＳ２２４（上記Ｓ１４４）に進む。また、呼出信号の間の電話番号を検出するとＳ２２０に進み、上記Ｓ７６の処理を行う。ここで、呼出信号の間の電話番号が通話端末であるとＳ２２２（上記Ｓ７８）に進み、呼出信号の間の電話番号が通信端末であるとＳ２２４（上記Ｓ１４４）に進む。
【００９７】
【発明の効果】
請求項１、５記載の発明によれば、相手に応じて最適な着信ができると共に、呼出音の鳴動を柔軟に行うことができる。
【００９８】
また、請求項２記載の発明によれば、通信相手の判別後でも、回線からの呼出信号を利用して呼出音を鳴動することができる。
【００９９】
また、請求項３記載の発明によれば、例え、応答前に受信した識別情報によって通信相手に最適な着信が判別できなくても、無鳴動のまま、通信相手がファクシミリ通信を要求しているかどうかを判別することができる。
【０１００】
また、請求項４記載の発明によれば、通信相手がファクシミリ通信を要求しているときは、最後まで呼出音を鳴動させずに、ファクシミリ通信を開始することができ、また、最終的に通信相手がファクシミリ通信を要求しているかどうかを確認できない場合は、後の処理をユーザに委ねることができる。
【図面の簡単な説明】
【図１】本発明の各実施例によるファクシミリ装置の構成を示すブロック図である。
【図２】本発明の第１実施例における動作を示すフローチャートである。
【図３】上記第１実施例における動作を示すフローチャートである。
【図４】上記第１実施例における動作を示すフローチャートである。
【図５】本発明の第２実施例における動作を示すフローチャートである。
【図６】上記第２実施例における動作を示すフローチャートである。
【図７】本発明の第３実施例における動作を示すフローチャートである。
【図８】本発明の第４実施例における動作を示すフローチャートである。
【符号の説明】
０…電話機、
１…留守番電話機、
２…ＣＭＬリレー、
４…外部端末直流捕捉検出回路、
６…擬似終端回路、
８…呼出信号検出回路、
１０…電話番号検出回路、
１２…切替回路、
１４…ハイブリッド回路、
１６、２２…変調器、
１８…読取回路、
２０…符号化回路、
２４…加算回路、
２６、２８…復調器、
３０…復号化回路、
３２…記録回路、
３４、５０…無音検出回路、
３６、５２…ＣＮＧ信号検出回路、
３７、５４…Ｖ２１フラグ信号検出回路、
３８…着信モード選択ボタン、
４０…着信モード表示回路、
４２…通信端末の電話番号登録回路、
４４…通話端末の電話番号登録回路、
４６…オペレーション部、
４８…制御回路。
【図１】
0003604718.tif 000002
【図２】
0003604718.tif 000003
【図３】
0003604718.tif 000004
【図４】
0003604718.tif 000005
【図５】
0003604718.tif 000006
【図６】
0003604718.tif 000007
【図７】
0003604718.tif 000008
【図８】
0003604718.tif 000009